(57)【要約】      （修正有）【課題】部品点数や加工工数を増加させることなく、ガイドパイプと弁本体を締結させ、締結時の熱変形歪みをなくして、プランジャや主弁体の摺動に影響ないパイロット型電磁弁を提供する。【解決手段】主弁座を有する主弁室が、設けられた弁本体と、前記主弁座に接離する主弁体と、前記弁本体における主弁座より上流側に、ろう付け固定された入口継手と、主弁座より下流側に固定された出口継手と、通電励磁用のコイルと、該コイルの内周側に配在された吸引子と、該吸引子に対向配置されたプランジャと、該プランジャと一体的に移動するようにされたパイロット弁体と、前記プランジャが摺動自在に嵌挿される小径部及び前記主弁体が摺動自在に嵌挿される大径部を有するガイドパイプとを備え、前記ガイドパイプの大径部が前記弁本体に設けられた取付開口部に挿入されて、ろう付けより熱影響の少ない手段にて前記弁本体に締結固定したこと。【選択図】図１
2007092859.tif 000002
【特許請求の範囲】
【請求項１】
主弁座を有する主弁室が設けられた弁本体と、前記主弁座に接離する主弁体と、前記弁本体における主弁座より上流側にろう付け固定された入口継手と、前記弁本体における主弁座より下流側に固定された出口継手と、通電励磁用のコイルと、該コイルの内周側に配在された吸引子と、該吸引子に対向配置されたプランジャと、該プランジャと一体的に移動するようにされたパイロット弁体と、前記プランジャが摺動自在に嵌挿される小径部及び前記主弁体が摺動自在に嵌挿される大径部を有するガイドパイプと、を備え、前記ガイドパイプの大径部が前記弁本体に設けられた取付開口部に挿入されて、熱影響の少ない接合手段にて前記弁本体に締結固定されていることを特徴とするパイロット型電磁弁。
【請求項２】
前記弁本体へのガイドパイプの締結固定がプロジェクション溶接によりなされていることを特徴とする請求項１に記載のパイロット型電磁弁。
【請求項３】
前記ガイドパイプの大径部の下端に鍔状部が設けられるとともに、前記弁本体の取付開口部が断面逆Ｌ形状に形成され、前記鍔状部の上面が前記取付開口部の下面に当接せしめられていることを特徴とする請求項１又は２に記載のパイロット型電磁弁。
【請求項４】
前記ガイドパイプの小径部と大径部との間の段丘部が、前記主弁体の開弁方向の移動規制を行うストッパとなっていることを特徴とする請求項１から３のいずれか一項に記載のパイロット型電磁弁。
【請求項５】
前記ガイドパイプと弁本体との締結固定部は、隙間腐食を防止すべく、樹脂、接着剤等で封止されていることを特徴とする請求項１から４のいずれか一項に記載のパイロット型電磁弁。
【発明の詳細な説明】
【技術分野】
【０００１】
本発明は、電磁式アクチュエータによりパイロット弁体を開閉駆動し、このパイロット弁体に応動して主弁体を開閉するようにされたパイロット型電磁弁に関する。
【背景技術】
【０００２】
この種のパイロット型電磁弁の従来例を図３に示す（下記特許文献１等も参照）。図示例のパイロット型電磁弁１’は、例えばエアコン等の冷凍サイクルに使用されるもので、主弁座（弁口）１４を有する弁室１３が設けられた弁本体１０と、この弁本体１０における主弁座１４より上流側にろう付け固定（炉中ろう付け）された入口継手（流入口）１１と、主弁座１４より下流側にろう付け固定（炉中ろう付け）された出口継手（流出口）１２と、弁本体１２に摺動自在に嵌挿されて前記主弁座１４に接離する主弁体１５と、電磁式アクチュエータ２０とを備える。
【０００３】
電磁式アクチュエータ２０は、通電励磁用のコイル２２、このコイル２２の外周を覆うように配在されたハウジング２１、コイル２２の上部内周側に配在されてボルト２８によりハウジング２１に固定された有底円筒状ないし円柱状の吸引子２５、この吸引子２５に対向配置されたプランジャ３０を備えている。プランジャ３０の先端には、保持穴３１が設けられ、この保持穴３１にボールからなるパイロット弁体３５が、その下面の一部を露出させた状態で収納されてかしめ固定（かしめ部３１ａ）されている。プランジャ３０の上部には、コイルばねからなる閉弁ばね２６が挿入係止される縦穴（ばね室）３０ａと横穴（均圧穴）３０ｂが形成されている。
【０００４】
プランジャ３０は、コイル２２と吸引子２５との間にその上部が配在されたガイドパイプ３２に摺動自在に嵌挿されている。ガイドパイプ３２の上端３２ａは、吸引子２５の外周段差部に溶接等の方法によって固定され、その下端鍔状部３２ｂの外周部分が、弁本体１０の上部内周段差部１６に載せられている。ガイドパイプ３２の下端鍔状部３２ｂは、弁本体１０の上部内周段差部１６に設けられたかしめ部１６ａにより、間に金属製のリング状部材１７を挟んでかしめ固定され、さらに、前記かしめ部１６ａとリング状部材１７及びガイドパイプ３２とがろう付け（ろう付け部１８）固定されている。
【０００５】
主弁体１５は、真鍮製の外周部材１５Ｂとそれに内嵌されてかしめ固定（かしめ部１５ｃ）された断面凸形状のテフロン製の内周部材１５Ａとからなる短円柱状体とされ、その中央部を貫通するように、前記パイロット弁体３５により開閉されるパイロット通路３７が形成されている。主弁体１５の外周部材１５Ｂには、内周部材１５Ａに接するように均圧穴１９が形成されている。
【０００６】
また、主弁室１３には、主弁体１５を開弁方向に付勢するコイルばねからなる開弁ばね３３が縮装されている。
【０００７】
プランジャ３０と主弁体１５との間は背圧室４０となっており、主弁体１５が閉弁しているとき、入口継手（流入口）１１から主弁室１３に導入された流体は、主弁体１５の外周面と弁本体１０の内周面との間（摺動面間）を通って背圧室４０に導入され、この背圧室４０からプランジャ３０の外周面とガイドパイプ３２の内周面との間（摺動面間）及び横穴３０ｂ、縦穴３０ａ通って、吸引子２５の下端面とプランジャ３０との間に形成される間隙空間Ｓにも導かれる。
【０００８】
上記構成に加え、図示例のパイロット型電磁弁１’では、前記ガイドパイプ３２の下端鍔状部３２ｂの下面内周側（平坦面）が、主弁体１５の開弁方向（上方）の移動規制を行うストッパ面部となっている。
【０００９】
このような構成とされたパイロット型電磁弁１’においては、コイル２２が通電されると、吸引子２５にプランジャ３０が引き寄せられて吸着し、これに伴い、パイロット弁体３５が開弁方向（上方）に移動（リフト）せしめられる。これにより、パイロット通路３７が開かれ、背圧室４０の流体が一挙にパイロット通路３７を通じて出口継手（流出口）１２に排出される。このため、背圧室４０が減圧され、主弁体１５が開弁ばね３３の付勢力によりリフトせしめられ、開弁する。この場合、主弁体１５は、その上端面が前記ストッパ面部（ガイドパイプ３２の下端鍔状部３２ｂの内周側部分）３２ｂに衝接せしめられるまでリフトされ、そのストッパ面部３２ｂ（環状平坦面）に面接触して停止せしめられる。
【００１０】
【特許文献１】特開平１０−１０３５５６号公報
【発明の開示】
【発明が解決しようとする課題】
【００１１】
しかしながら、前記した如くの従来のパイロット型電磁弁では、ガイドパイプ３２と弁本体１０とはろう付けにより締結固定するようにされているので、ろう付け部１８付近、つまり、プランジャ３０の摺動部分であるガイドパイプ３２の下端近くの部位や主弁体１５の摺動部分である弁本体１０の段差部１６近くの部位がろう付けの熱影響を受けて歪を生じ、プランジャ３０や主弁体１５が円滑に摺動しなくなることがあるため、ろう付け後に追加工（二次加工）が必要とされ、コストアップを招いていた。
【００１２】
本発明は、上記事情に鑑みてなされたもので、その目的とするところは、部品点数、工数等の増加やコストアップを招くことなく、ガイドパイプと弁本体との締結固定部周辺においても、プランジャや主弁体の摺動を阻害することがないようにされたパイロット型電磁弁を提供することにある。
【課題を解決するための手段】
【００１３】
前記の目的を達成すべく、本発明に係るパイロット型電磁弁は、基本的には、主弁座を有する主弁室が設けられた弁本体と、前記主弁座に接離する主弁体と、前記弁本体における主弁座より上流側にろう付け固定された入口継手と、前記弁本体における主弁座より下流側に固定された出口継手と、通電励磁用のコイルと、該コイルの内周側に配在された吸引子と、該吸引子に対向配置されたプランジャと、該プランジャと一体的に移動するようにされたパイロット弁体と、前記プランジャが摺動自在に嵌挿される小径部及び前記主弁体が摺動自在に嵌挿される大径部を有するガイドパイプと、を備える。
【００１４】
そして、前記ガイドパイプの大径部が前記弁本体に設けられた取付開口部に挿入されて、ろう付けより熱影響の少ない手段にて前記弁本体に締結固定されていることを特徴としている。
【００１５】
好ましい態様では、前記弁本体へのガイドパイプの締結固定がプロジェクション溶接によりなされる。
【００１６】
他の好ましい態様では、前記ガイドパイプの大径部の下端に鍔状部が設けられるとともに、前記弁本体の取付開口部が断面逆Ｌ形状に形成され、前記鍔状部の上面が前記取付開口部の下面に当接せしめられる。
【００１７】
他の好ましい態様では、前記ガイドパイプの小径部と大径部との間の段丘部が、前記主弁体の開弁方向の移動規制を行うストッパとされる。
【００１８】
前記ガイドパイプと弁本体との締結固定部は、好ましくは、隙間腐食を防止すべく、樹脂、接着剤等で封止される。
【発明の効果】
【００１９】
本発明に係るパイロット型電磁弁では、ガイドパイプは、プランジャが摺動自在に嵌挿される小径部及び主弁体が摺動自在に嵌挿される大径部を有する。つまり、従来例では主弁体が弁本体に摺動自在に嵌挿されていたが、本発明では、ガイドパイプにプランジャと主弁体を共に摺動自在に嵌挿するようになされ、さらに、ガイドパイプの大径部が弁本体に設けられた取付開口部に挿入されて、ろう付けより熱影響の少ない手段、例えばプロジェクション溶接にて弁本体に締結固定されるので、部品点数、工数等の増加やコストアップを招くことなく、ガイドパイプと弁本体との締結固定部周辺においても、プランジャや主弁体の摺動を阻害することがないようにでき、高品質で信頼性の高いパイロット型電磁弁を提供できる。
【発明を実施するための最良の形態】
【００２０】
以下、本発明の実施形態を図面を参照しながら説明する。
図１は、本発明に係るパイロット型電磁弁の一実施形態を示す縦断面図、図２はその要部拡大断面図である。
【００２１】
図示実施形態のパイロット型電磁弁１において、前述した図３に示される従来例のパイロット型電磁弁１’の各部と同一構成ないし同一機能を有する部分には、共通の符号を付して、重複説明を省略し、以下においては相違点を重点的に説明する。
【００２２】
本実施形態のパイロット型電磁弁１も、例えばエアコン等の冷凍サイクルに使用されるもので、前述した従来例とは、弁本体１０とガイドパイプ３２の構成が異なる。
【００２３】
すなわち、本実施形態のパイロット型電磁弁１では、ガイドパイプ３２は、プランジャが摺動自在に嵌挿される小径部３２Ａ及び主弁体１５が摺動自在に嵌挿される大径部３２Ｂを有し、この大径部３２Ｂの下端に鍔状部３２Ｃが設けられている。
【００２４】
また、弁本体１０は、断面逆Ｌ形状の取付開口部１０ａが設けられた円筒体１０Ａと断面凸形状の底形成体１０Ｂとからなり、円筒体１０Ａの側部、つまり、主弁座１４より上流側に入口継手１１が炉中ろう付けで固定され、底形成体１０Ｂの底部、つまり、主弁座１４より下流側に出口継手１２が圧入等の適宜の手段で固定されている。
【００２５】
そして、ガイドパイプ３２の大径部３２Ｂが円筒体１０Ａの取付開口部１０ａに下から挿入されて、溶接の中でも熱影響の少ない手段、例えばプロジェクション溶接により締結固定されている。この場合、鍔状部３２Ｃの上面が断面逆Ｌ形状の取付開口部１０ａの下面に当接せしめられ、取付開口部１０ａの上面とガイドパイプ３２の大径部３２Ｂの外周面との間（隅部全周）が前記プロジェクション溶接等のろう付けより熱影響の少ない手段で締結固定されている。なお、円筒体１０Ａと底形成体１０Ｂとは、ガイドパイプ３２の締結固定後に適宜の手段で一体に締結固定される。
【００２６】
さらに、前記ガイドパイプ３２の大径部３２Ｂと弁本体１０の円筒体１０Ａとの締結固定部６０は、締結固定後に、隙間腐食を防止すべく、樹脂、接着剤等で封止されている。
【００２７】
また、ガイドパイプ３２の小径部３２Ａと大径部３２Ｂとの間の段丘部３２Ｄが、主弁体の開弁方向の移動規制を行うストッパとなっている。
【００２８】
また、主弁体１５の上部には背圧室４０となる凹部１５ｂが形成され、この凹部１５ｂの外周側の上端面部１５ａが前記ストッパ（段丘部）３２Ｄに衝接するようになっている。
【００２９】
このように、本実施形態では、ガイドパイプ３２は、プランジャ３０が摺動自在に嵌挿される小径部３２Ａ及び主弁体１５が摺動自在に嵌挿される大径部３２Ｂを有する。つまり、従来例では主弁体が弁本体に摺動自在に嵌挿されていたが、本発明実施形態では、ガイドパイプ３２にプランジャ３０と主弁体１５を共に摺動自在に嵌挿するようになされ、さらに、ガイドパイプ３２の大径部３２Ｂが弁本体１０に設けられた取付開口部１０ａに挿入されて、ろう付けより熱影響の少ないプロジェクション溶接にて弁本体１０に締結固定されるので、部品点数、工数等の増加やコストアップを招くことなく、ガイドパイプ３２と弁本体１０との締結固定部６０周辺においても、プランジャ３０や主弁体１５の摺動を阻害することがないようにできる。
【図面の簡単な説明】
【００３０】
【図１】本発明に係るパイロット型電磁弁の一実施形態を示す縦断面図。
【図２】図１に示されるパイロット型電磁弁の要部拡大図。
【図３】パイロット型電磁弁の従来例を示す縦断面図。
【符号の説明】
【００３１】
１    パイロット型電磁弁
１０  弁本体
１０ａ  取付開口部
１０Ａ  円筒体
１０Ｂ  底形成体
１１  入口継手（流入口）
１２  出口継手（流出口）
１３  主弁室
１４  主弁座
１５  主弁体
２０  電磁式アクチュエータ
２５  吸引子
２６  閉弁ばね
３０  プランジャ
３２  ガイドパイプ
３２Ａ  小径部
３２Ｂ  大径部
３２Ｃ  鍔状部
３２Ｄ  ストッパ
６０  締結固定部
【図１】
2007092859.tif 000003
【図２】
2007092859.tif 000004
【図３】
2007092859.tif 000005